(57)【特許請求の範囲】
【請求項１】
洗浄室内に設けた洗浄ノズル及びすすぎノズルと、前記洗浄室下方において開口する洗浄タンクとを備え、前記洗浄室内のラックレール上を移送されるラック内の食器類に前記洗浄ノズルから前記洗浄タンク内の洗浄水を噴射して洗浄を行うと共に、すすぎ水を前記すすぎノズルから噴射してすすぎを行う食器洗浄機において、前記洗浄室内に吊り板にて移動自在に支持されたラック送りと、このラック送りを往復動させる駆動機構と、前記ラック送りに複数設けられ、前記ラックに順次係合することによって、当該ラックを移動させるラック送りピンと、前記吊り板に前記ラック送りを保持する保持手段と、この保持手段にて前記吊り板にラック送りが保持された状態で、当該吊り板に対するラック送りの高さを調節する調節手段とを備え、保持手段は、吊り板に形成された上下方向の長孔と、この長孔に横方向から挿通されて前記吊り板にラック送りを固着するボルトとから構成されると共に、調節手段は、前記吊り板に形成された透孔と、この透孔に縦方向から挿通された調節ネジと、前記ラック送りに形成され、前記調節ネジのネジ部が螺合するネジ孔とから構成、前記保持手段のボルトを緩く止めてから前記調節手段の調節ネジで高さ方向の調節を行った後、前記保持手段のボルトを締め付けて固定することを特徴とする食器洗浄機。
【発明の詳細な説明】
【０００１】
【発明の属する技術分野】
本発明は、食器類を移動させながら洗浄とすすぎを行う食器洗浄機に関するものである。
【０００２】
【従来の技術】
従来よりこの種食器洗浄機は、例えば実公昭５５−５１４１５号公報（Ａ４７Ｌ１５／４２）に示される如く、洗浄室内の洗浄領域（公報では洗浄室と称している）に上下洗浄ノズルとすすぎ領域（公報ではすすぎ室と称している）内に上下すすぎノズルとを配設すると共に、上下のノズル間にはラック送り機構を取り付け、食器類を収納したラックを、ラックレール上において一定速度で移送する。
【０００３】
そして、洗浄室の下方には上面に開口する洗浄タンクを設け、洗浄領域では上下洗浄ノズルから洗浄タンク内の洗浄水をポンプにより食器類に噴射し、その後、すすぎ領域において上下すすぎノズルから温水であるすすぎ水を食器類に噴射することにより、順次連続して洗浄とすすぎが行われるように構成されていた。
【０００４】
ここで、従来の前記ラック送り機構を図８及び図９に示す。図中１０１はラック送りであり、図示しない洗浄室内の手前側と奥側に配置されると共に、ラック送り１０１、１０１間には連結板１０４が差し渡って固定されると共に、各ラック送り１０１には所定間隔で図示しないラック送りピンが取り付けられている。一方、１０２は吊り板であり、洗浄室内の手前側と奥側に二本ずつ上下に設けられている。
【０００５】
各吊り板１０２は上端を回動自在に枢支されており、その下端部には上下に長い長孔１０３が穿設されている。そして、この長孔１０３にラック送り１０１の連結板１０４を宛い、ボルト１０５を連結板１０４と長孔１０３に挿通して締め付けることによって、吊り板１０２・・・にラック送り１０１、１０１を取り付けていた。
【０００６】
そして、ラック送り１０１は図示しないモータとクランク機構によって、ラック送り１０１の長手方向に往復移動される。このとき、ラック送りピンはラックレール上のラックに順次係合し、略定速度で順次移動させるものである。
【０００７】
【発明が解決しようとする課題】
このように、ラック送りピンをラックレール上のラックに順次係合させる必要があるため、ラックレールからラック送りピンが突出する寸法が丁度良くないと、ラックを円滑に移送できなくなる。そのため、この突出寸法を調節する必要が生じるが、従来ではラック送り１０１を手で持ち上げながら各吊り板１０２・・・に対するラック送り１０１、１０１の高さを合わせ、長孔１０３の範囲内においてボルト１０５を締め付けることによって調節していたため、作業性が悪く、各吊り板１０２・・・毎にバラツキが生じ易くなる問題があった。
【０００８】
本発明は、係る従来の技術的課題を解決するために成されたものであり、ラック送りの高さ調節を簡単、且つ、確実に行うことができる食器洗浄機を提供するものである。
【０００９】
【課題を解決するための手段】
本発明の食器洗浄機は、洗浄室内に設けた洗浄ノズル及びすすぎノズルと、洗浄室下方において開口する洗浄タンクとを備え、洗浄室内のラックレール上を移送されるラック内の食器類に洗浄ノズルから洗浄タンク内の洗浄水を噴射して洗浄を行うと共に、すすぎ水をすすぎノズルから噴射してすすぎを行うものであって、洗浄室内に吊り板にて移動自在に支持されたラック送りと、このラック送りを往復動させる駆動機構と、ラック送りに複数設けられ、ラックに順次係合することによって、当該ラックを移動させるラック送りピンと、吊り板にラック送りを保持する保持手段と、この保持手段にて吊り板にラック送りが保持された状態で、当該吊り板に対するラック送りの高さを調節する調節手段とを備えたものである。
【００１０】
本発明によれば、洗浄室内に設けた洗浄ノズル及びすすぎノズルと、洗浄室下方において開口する洗浄タンクとを備え、洗浄室内のラックレール上を移送されるラック内の食器類に洗浄ノズルから洗浄タンク内の洗浄水を噴射して洗浄を行うと共に、すすぎ水をすすぎノズルから噴射してすすぎを行う食器洗浄機において、洗浄室内に吊り板にて移動自在に支持されたラック送りと、このラック送りを往復動させる駆動機構と、ラック送りに複数設けられ、ラックに順次係合することによって、当該ラックを移動させるラック送りピンと、吊り板にラック送りを保持する保持手段と、この保持手段にて吊り板にラック送りが保持された状態で、当該吊り板に対するラック送りの高さを調節する調節手段とを設けたので、ラック送りを吊り板に保持させた状態で、吊り板に対するラック送りの高さを調節することが可能となる。
【００１１】
これにより、従来如くラック送りを作業者が保持しながら高さを調節する必要が無くなり、ラック送りの高さ調節作業を極めて円滑且つ確実に行えるようになり、食器洗浄機の組立作業性が著しく改善されるものである。
【００１２】
また、保持手段が、吊り板に形成された上下方向の長孔と、この長孔に挿通されて吊り板にラック送りを固着するボルトとから構成されると共に、調節手段は、吊り板に形成された透孔と、この透孔に挿通された調節ネジと、ラック送りに形成され、調節ネジのネジ部が螺合するネジ孔とから構成され、前記保持手段のボルトを緩く止めてから前記調節手段の調節ネジで高さ方向の調節を行った後、前記保持手段のボルトを締め付けて固定するものである。
【００１３】
更に、保持手段を、吊り板に形成された上下方向の長孔と、この長孔に挿通されて吊り板にラック送りを固着するボルトとから構成すると共に、調節手段を、吊り板に形成された透孔と、この透孔に挿通された調節ネジと、ラック送りに形成され、調節ネジのネジ部が螺合するネジ孔とから構成し、前記保持手段のボルトを緩く止めてから前記調節手段の調節ネジで高さ方向の調節を行った後、前記保持手段のボルトを締め付けて固定したので、調節ネジをネジ孔に螺合させて行くことによって、吊り板に対するラック送りの高さは徐々に高くなる。
【００１４】
これにより、ラック送りの微妙な高さ調節を容易に行えるようになると共に、構造も簡単であり、部品コストも低減されるものである。
【００１５】
【発明の実施の形態】
次に、図面に基づき本発明の実施形態を詳述する。図１は本発明の食器洗浄機ＤＷの縦断正面図、図２は食器洗浄機ＤＷのもう一つの縦断正面図、図３は食器洗浄機ＤＷのラック送り２５と吊り板６１の斜視図である。
【００１６】
各図において、１は内部を洗浄室２と成し、両側壁３、４に相対向してラックＲの入出用の開口６、７を形成した外装体であり、底壁８の後部を下方へ凹陥させて上面に開口する洗浄タンク１０を形成すると共に、洗浄室２内下部の前後に、前記ラックＲを開口６側より開口７側へ移動自在に支持する一対のラックレール１２、１２が取り付けられている。
【００１７】
洗浄室２内は入口となる一方の開口６側が洗浄領域Ｗ１、出口となる他方の出口側がすすぎ領域Ｗ２とされ、前記洗浄領域Ｗ１内の上下に前段の洗浄を行う一対の上下洗浄ノズル１３Ａ、１３Ｂが設けられると共に、すすぎ領域Ｗ２内の上下には終段のすすぎを行う一対の上下すすぎノズル１４Ａ、１４Ｂがそれぞれ設けられている。また、前記ラックレール１２、１２は上記洗浄領域Ｗ１からすすぎ領域Ｗ２まで渡って設けられると共に、開口６及び開口７と領域Ｗ１とＷ２間にはカーテンＣがそれぞれ吊下されている。
【００１８】
そして、上洗浄ノズル１３Ａ及び上すすぎノズル１４Ａは外装体１の天壁１５等に取り付けられ、その噴射口１６Ａ・・、１７Ａからは下方に洗浄水或いはすすぎ水を噴射すると共に、下洗浄ノズル１３Ｂ及び下すすぎノズル１４Ｂはラックレール１２、１２の直下に位置して取り付けられ、その噴射口１６Ｂ・・、１７Ｂからは上方に洗浄水或いはすすぎ水を噴射する構成とされている。
【００１９】
１８は前記洗浄タンク１０内に貯留された洗浄水を吸引し、加圧して前記上下洗浄ノズル１３Ａ、１３Ｂにそれぞれ中空管２０、２１を介して供給する洗浄ポンプである。また、洗浄タンク１０は洗浄室２の後部下方において上方に開口しており、この開口部分には洗浄水中の比較的大きな残菜を濾過するために目の細かい透孔が複数穿設されたタンクフィルタ３１・・が着脱自在に複数並設されている。更に、外装体１の前面には扉１９が設けられている。
【００２０】
尚、上下すすぎノズル１４Ａ、１４Ｂには外装体１の外に別置きしたボイラーなど適宜の給水装置（図示せず）からこれも図示しない弁やパイプを介してすすぎ水を供給する。また、この下すすぎノズル１４Ｂの下方には、それに対応して前記洗浄タンク１０上部に位置するようすすぎ水受け２３が配設され、前記タンクフィルタ３１・・の側方に位置している。
【００２１】
このすすぎ水受け２３は、上面開口の矩形状容器であり、長手方向を食器洗浄機１の前後方向に向けて配設されると共に、上面全体は図示しないフィルタにて覆われ、その底面には複数の目の細かい透孔が穿設されている。このすすぎ水受け２３の下方には、後壁からオーバーフローパイプ４３が洗浄タンク１０内に引き込まれている。このオーバーフローパイプ４３は後壁から前方に向けて水平に延在している。そして、円筒状を呈したパイプの先端（前端）開口の下半分は閉塞され、そこから後方に向け、所定範囲で上側半分が切り欠かれて、そこに開口部４４が形成されている。
【００２２】
また、オーバーフローパイプ４３の前端はすすぎ水受け２３下面のフィルタ部３７内に挿入されると共に、オーバーフローパイプ４３の後端は外部に連通されている。
【００２３】
更に、洗浄タンク１０の左右方向の略中央部にはもう一つの安全用オーバーフローパイプ４７が立設されている。この安全用オーバーフローパイプ４７の上端開口はドレンハンドル４８内に挿入され、その状態で前記オーバーフローパイプ４３の開口部４４よりも高い位置の洗浄タンク１０内にて上方に向け開口している。そして、オーバーフローパイプ４７の下端は洗浄タンク１０の下方外部に連通されている。
【００２４】
次ぎに、２５、２５は図３に示す如く四本の吊り板６１・・・にて左右方向（開口６−７方向）に往復移動自在に吊り下げ支持されたラック送りであり、それぞれラックレール１２、１２の下側に配置され、ラック送りモータ２４（駆動手段）にて駆動されるクランク機構２６などにて左右方向（開口６−７方向）に往復移動される。このラック送り２５には複数のラック送りピン４９・・が支軸２７を中心に反復円弧作動されるように取り付けられている。そして、このラック送りピン４９・・が前記ラックレール１２、１２に載置された食器類Ｄを収納せるラックＲに順次係合することにより、入口用の開口６から出口用の開口７に略定速度で当該ラックＲを順次移動させるものである。
【００２５】
この場合、各吊り板６１・・・は上端部を外装体１に回動自在に枢支されており、その下部には水平方向に屈曲して延在する当て板６３（吊り板６１の一部となる）がそれぞれ固定されている。また、各吊り板６１・・・の下端部には上下に長い長孔６４が穿設されており、前記当て板６３には透孔６６が形成されている。
【００２６】
一方、前後のラック送り２５、２５の左右間には図３に示す如く連結板６２、６２（ラック送り２５、２５の一部となる）が差し渡し固定されて連結されている。この連結板６２の両端側面には図示しない透孔と上面にはネジ孔６８がそれぞれ形成されており、前記透孔を前記長孔６４に宛った状態で、連結板６２のネジ孔６８は当て板６３の透孔６６の下側に対応する（図４、図５）。
【００２７】
そして、６７は保持手段としてのボルトであり、前記連結板６２の透孔と吊り板６１の長孔６４に挿通され、両者を締め付けることにより、ラック送り２５、２５を各吊り板６１・・・に取り付けるものである。また、７１は調節ネジであり、頭部７２とそれから下方に突出したネジ部７３を備え、当て板６３の透孔６６に上から挿通されて、ネジ部７３が連結板６２のネジ孔６８に螺合されている。
【００２８】
また、前記ラックレール１２、１２の上側には、洗浄領域Ｗ１に位置して洗浄スイッチ５１が取り付けられると共に、すすぎ領域Ｗ２に位置してすすぎスイッチ５２が取り付けられている。更に、５３は洗浄タンク１０内に設けられた液位スイッチであり、５４は洗浄タンク１０を加熱する補助ヒータである。また、５６は洗浄タンク１０の前側に設けられた電装ボックスで、その前面には食器洗浄機ＤＷの運転のＯＮ−ＯＦＦを行うための運転スイッチ５７や、補助ヒータ５４のスイッチ５８などが設けられている。そして、５９は外装体１の上面に設けられたスイッチボックスである。
【００２９】
以上の構成で、食器類Ｄを洗浄する際には、ラックＲ内にそれらを収納した後、入口側となる開口６から外装体１の洗浄室２内に挿入する。そして、運転スイッチ５７をＯＮすると、ラック送りモータ２４が駆動され、前述した如くラックＲは以後ラック送り２５により定速度で開口６側から開口７側に移動される。そして、ラックＲが洗浄領域Ｗ１の洗浄スイッチ５１のところまで来ると、それが閉じられて前記洗浄ポンプ１８が起動される。
【００３０】
これによって、上下洗浄ノズル１３Ａ、１３Ｂの噴射口１６Ａ・・、１６Ｂ・・からは洗浄タンク１０内の洗浄水が食器類Ｄに噴射され、移動されながら洗浄される。洗浄に使用された洗浄水はタンクフィルタ３１・・を経て、最終的に洗浄タンク１０内に流入し、再び洗浄ポンプ１８に吸引されることになる。
【００３１】
ラック送り２５によりラックＲが更に移送されてすすぎ領域Ｗ２のすすぎスイッチ５２のところまで来ると、それが閉じられて前記弁が開放され、それによって、上下すすぎノズル１４Ａ、１４Ｂの噴射口１７Ａ・・、１７Ｂ・・からは温水から成るすすぎ水が食器類Ｄに噴射され、移動されながら洗剤をすすがれる。すすぎに使用されたすすぎ水は、前記フィルタを介してすすぎ水受け２３内に流入し、約半分が透孔３４・・から洗浄タンク１０内に流入するが、残りはすすぎ水受け２３の排水口から直接オーバーフローパイプ４３の開口部４４内に入って外部に排出される。
【００３２】
そして、最終的にラックＲは出口側の開口７から外装体１外に送り出される。係る洗浄とすすぎは所定間隔で挿入された複数のラックＲ・・に対して連続的に行われるものであるが、前述の如くすすぎ水の約半分は洗浄タンク１０内に流入するため、その洗浄水の液位は上昇する。そして、オーバーフローパイプ４３の開口部４４の高さより上昇すると、その分はすすぎ水受け２３のフィルタ部３７を経てオーバーフローパイプ４３の開口部４４からオーバーフローパイプ４３内に入り、外部に排出されることになる。
【００３３】
次ぎに、食器洗浄機ＤＷの組立時に前記吊り板６１・・・に対するラック送り２５、２５の高さ調節を行う作業を説明する。前述の如くラック送りピン４９はラックレール１２上のラックＲに順次係合して移送するものであるため、ラック送りピン４９がラックレール１２から１０ｍｍ程度上方に突出しないと、ラックＲがラック送りピン４９に係合できない。
【００３４】
そこで、係るラック送りピン４９の突出寸法を確保するために、先ず、ボルト６７を緩く止めて連結板６２が吊り板６１に対して上下移動できるようにラック送り２５を吊り板６１に保持させる（図４、図５）。次ぎに、調節ネジ７１のネジ部７３をネジ孔６８にねじ込んで行くと、やがて頭部７２が当て板６３の透孔６６の上面周囲に当接する。
【００３５】
そして、更にねじ込んで行くと、連結板６２は調節ネジ７１のネジ部７３に沿って上昇するので、ラック送り２５の吊り板６１に対する高さは上昇する。そして、ラック送りピン４９がラックレール１２から１０ｍｍ程上に突出した段階で調節ネジ７１のねじ込みを停止する。
【００３６】
これを四本の吊り板６１・・・全てについて行った後、各ボルト６７を締め付けて連結板６２、６２を吊り板６１・・・に固着することにより、ラック送り２５を吊り板６１・・・に取り付けるものである。
【００３７】
これにより、本発明によればラック送り２５、２５を吊り板６１・・・に保持させた状態で、吊り板６１・・・に対するラック送り２５、２５の高さを調節することが可能となるので、従来如くラック送り２５を作業者が保持しながら高さを調節する必要が無くなり、ラック送り２５の高さ調節作業を極めて円滑且つ確実に行えるようになり、食器洗浄機ＤＷの組立作業性が著しく改善される。
【００３８】
特に、調節ネジ７１をネジ孔６８に螺合させて行くことによって、吊り板６１に対するラック送り２５の高さは徐々に高くするように構成したので、ラック送り２５の微妙な高さ調節を容易に行えるようになると共に、構造も簡単であり、部品コストも低減される。
【００３９】
【発明の効果】
以上詳述した如く本発明によれば、洗浄室内に設けた洗浄ノズル及びすすぎノズルと、洗浄室下方において開口する洗浄タンクとを備え、洗浄室内のラックレール上を移送されるラック内の食器類に洗浄ノズルから洗浄タンク内の洗浄水を噴射して洗浄を行うと共に、すすぎ水をすすぎノズルから噴射してすすぎを行う食器洗浄機において、洗浄室内に吊り板にて移動自在に支持されたラック送りと、このラック送りを往復動させる駆動機構と、ラック送りに複数設けられ、ラックに順次係合することによって、当該ラックを移動させるラック送りピンと、吊り板にラック送りを保持する保持手段と、この保持手段にて吊り板にラック送りが保持された状態で、当該吊り板に対するラック送りの高さを調節する調節手段とを設けたので、ラック送りを吊り板に保持させた状態で、吊り板に対するラック送りの高さを調節することが可能となる。
【００４０】
これにより、従来如くラック送りを作業者が保持しながら高さを調節する必要が無くなり、ラック送りの高さ調節作業を極めて円滑且つ確実に行えるようになり、食器洗浄機の組立作業性が著しく改善されるものである。
【００４１】
また、保持手段を、吊り板に形成された上下方向の長孔と、この長孔に挿通されて吊り板にラック送りを固着するボルトとから構成すると共に、調節手段を、吊り板に形成された透孔と、この透孔に挿通された調節ネジと、ラック送りに形成され、調節ネジのネジ部が螺合するネジ孔とから構成し、前記保持手段のボルトを緩く止めてから前記調節手段の調節ネジで高さ方向の調節を行った後、前記保持手段のボルトを締め付けて固定したので、調節ネジをネジ孔に螺合させて行くことによって、吊り板に対するラック送りの高さは徐々に高くなる。
【００４２】
これにより、ラック送りの微妙な高さ調節を容易に行えるようになると共に、構造も簡単であり、部品コストも低減されるものである。
【図面の簡単な説明】
【図１】本発明の食器洗浄機の縦断正面図である。
【図２】本発明の食器洗浄機のもう一つの縦断正面図である。
【図３】本発明の食器洗浄機のラック送りと吊り板の斜視図である。
【図４】本発明の食器洗浄機のラック送りと吊り板の取付部分の拡大正面図である。
【図５】本発明の食器洗浄機のラック送りと吊り板の取付部分の拡大側面図である。
【図６】本発明の食器洗浄機のラック送りと吊り板の取付部分のもう一つの拡大正面図である。
【図７】本発明の食器洗浄機のラック送りと吊り板の取付部分のもう一つの拡大側面図である。
【図８】従来の食器洗浄機のラック送りと吊り板の取付部分の拡大正面図である。
【図９】従来の食器洗浄機のラック送りと吊り板の取付部分の拡大側面図である。
【符号の説明】
ＤＷ  食器洗浄機
Ｄ  食器類
Ｗ１  洗浄領域
Ｗ２  すすぎ領域
Ｒ  ラック
１  外装体
２  洗浄室
１０  洗浄タンク
１２  ラックレール
１３Ａ、１３Ｂ  上下洗浄ノズル
１４Ａ、１４Ｂ  上下すすぎノズル
１８  洗浄ポンプ
２４  ラック送りモータ
２５  ラック送り
２６  クランク機構
４９  ラック送りピン
６１  吊り板
６２  連結板
６３  当て板
６６  透孔
６７  ボルト
６８  ネジ孔
７１  調節ネジ
７３  ネジ部
【図１】
0003773635.tif 000002
【図２】
0003773635.tif 000003
【図３】
0003773635.tif 000004
【図４】
0003773635.tif 000005
【図５】
0003773635.tif 000006
【図６】
0003773635.tif 000007
【図７】
0003773635.tif 000008
【図８】
0003773635.tif 000009
【図９】
0003773635.tif 000010